(57)【特許請求の範囲】
【請求項１】
果実樹の枝を所望の角度で曲げて誘引するために枝に結合固定して使用する果実樹用枝誘引具において、
前記枝を上側から覆って結合され中央が高くかつ両端が低く形成された中央部１０と；
前記中央部の両端からそれぞれ延長され前記枝の挿入のために一部が開放された開放部２０と；
前記開放部２０から延長され前記枝の下側を支えて枝の力を受けて枝の角度を固定する固定部３０とから構成され、
前記中央部１０には、枝が挿入される曲面の中央挿入路１１が凸状に形成され、
前記固定部３０には、枝が挿入される曲面の固定挿入路３１が凹状に形成されたことを特徴とする果実樹用枝誘引具。
【請求項２】
前記中央部１０、開放部２０、固定部３０に、線状の突出路２が連続的に形成されたことを特徴とする、請求項１に記載の果実樹用枝誘引具。
【請求項３】
前記中央挿入路１１と固定挿入路３１の両端部分は、鋭くないように曲面処理されたことを特徴とする、請求項１に記載の果実樹用枝誘引具。
【請求項４】
前記枝誘引具は、プレス作製が可能な板状の金属材であり、一般使用者が手で任意の角度で曲げることができる軟質であることを特徴とする、請求項１に記載の果実樹用枝誘引具。
【発明の詳細な説明】
【技術分野】
【０００１】
本発明は、果実樹用枝誘引具に関するものであって、さらに詳細には、リンゴの木のような果樹の枝を、任意に誘引しようとする角度で調節しながら、容易に誘引することができるようにして、作業性を向上させ、半永久的に使用可能で、人件費及び農資材購入コストを節減できるようにするものである。
【背景技術】
【０００２】
一般に、果実樹栽培中の枝の配置は、太陽光確保、通気性向上など、栽培上重要な意味を有しており、特に、果実樹密植栽培時の枝の誘引作業は、着果量確保、樹勢安定等のために重要な作業としてさらに大きな比重を占めており、樹木において自然発生的な木の枝は、特性上、空方に上向いて成長する習性があるが、果物を目的とする果樹木の場合、このような徒長枝は栽培上好ましくなく、元の枝から分枝される分枝角度を１５度以上に維持させなければならない。
【０００３】
また、大部分の枝に果実を着果させなければならない密植栽培システムでは、出現する多くの枝を人為的に分枝角度が１５度以上になるように誘引させなければならず、このような枝の誘引作業が栽培作業の大部分を占めることになる。
【０００４】
ところが、枝を誘引するための従来の方法は、枝が幼い時に幹と枝との間にようじ等を挟み込んで枝を隔てておいたり、誘引錘を枝の端に吊るしてぶら下げたり、または、針金からなるダブリュー（Ｗ）字形の誘引輪と枝誘引用の誘引輪、アルファベットのイー（Ｅ）字形の枝誘引具などが開発されて用いられているが、これらは枝の誘引が効果的になされることができず、さらに、風が激しく吹いたり外部の圧力或いは衝撃によって枝が折れる等の弊害が生じ、着脱が不便であり、枝が密生したときは使用することができず、複雑な構成により製造コストが高いなどの短所があった。
【０００５】
従来技術のうち、公開実用新案第２０−２０１６−０００１５９８号では、アルファベットのイー（Ｅ）字形の枝誘引具を提案している。ところが、上記の誘引具は、枝に結合する過程で枝に傷が発生したり、結合された状態で風によって枝に傷が発生するなどの問題があり、鋳物方式で生産しなければならないためその製造コストが高く、枝の角度を状況に合わせて様々な角度で任意に調節することが困難である問題があった。
【発明の概要】
【発明が解決しようとする課題】
【０００６】
本発明は、上記した従来の問題点を解決するために案出されたものであって、本発明の目的は、容易に結合することができ、結合過程あるいは結合された状態で枝に傷が発生しないようにし、製造コストが低く、何度も再使用することができ、枝の角度を様々な角度で任意に調節できるようにすることである。
【課題を解決するための手段】
【０００７】
本発明の果実樹用枝誘引具は、前記枝を上側から覆って結合され中央が高くかつ両端が低く形成された中央部と、前記中央部の両端からそれぞれ延長され前記枝の挿入のために一部が開放された開放部と、前記開放部から延長され前記枝の下側を支えて枝の力を受けて固定する固定部とから構成され、前記中央部には、枝が挿入される曲面の中央挿入路が凸状に形成され、前記固定部には、枝が挿入される曲面の固定挿入路が凹状に形成され、全体が一般使用者が手で任意の角度で曲げることができるように軟質の金属から形成されたことを特徴とする。
【０００８】
さらに、前記中央部、開放部、固定部に線状の突出路が連続的に形成されたことを特徴とする。
【０００９】
さらに、中央挿入路と固定挿入路の両端部分は、鋭くないように曲面処理されたことを特徴とする。
【００１０】
さらに、枝誘引具は、プレス作製が可能な板状の金属材であることを特徴とする。
【発明の効果】
【００１１】
本発明の果実樹用枝誘引具は、容易に結合することができ、結合過程あるいは結合された状態で枝に傷が発生しないようにし、製造コストが低く、何度も再使用することができ、枝の角度を様々な角度で任意に調節できる効果がある。
【図面の簡単な説明】
【００１２】
【図１】本発明の一実施例の斜視図である。
【図２】本発明の一実施例の平面図である。
【図３】本発明の一実施例の正面図である。
【図４】本発明の一実施例の側面図である。
【図５】本発明の一実施例の様々な状態を斜視方向から示した写真である。
【図６】本発明の一実施例の様々な状態を平面方向から示した写真である。
【図７】本発明の一実施例を適用する前の果実樹の写真である。
【図８】本発明の一実施例を適用した果実樹の写真である。
【図９】本発明の一実施例を適用する前の果実樹の写真である。
【図１０】本発明の一実施例を適用した果実樹の写真である。
【図１１】本発明の一実施例を適用した果実樹の写真である。
【発明を実施するための形態】
【００１３】
以下、添付の図面を参照して、本発明による果実樹用枝誘引具の好ましい実施例を説明する。この過程で、図面に示された線の厚さや構成要素の大きさ等は、説明の明瞭性と便宜上誇張して図示されていることがある。また、後述される用語は、本発明における機能を考慮して定義された用語であり、これは、使用者、運用者の意図または慣例によって変わることができる。従って、このような用語についての定義は、本明細書の全般にわたった内容に基づいて下されるべきである。
【００１４】
また、下記の実施例は、本発明の権利範囲を限定するものではなく、単に例示として提示するものであり、本技術思想を通して具現される多様な実施例があり得る。
【００１５】
図１は本発明の一実施例の斜視図であり、図２は本発明の一実施例の平面図であり、図３は本発明の一実施例の正面図であり、図４は本発明の一実施例の側面図である。
【００１６】
図５は本発明の一実施例の様々な状態を斜視方向から示した写真であり、図６は本発明の一実施例の様々な状態を平面方向から示した写真である。
【００１７】
図７は本発明の一実施例を適用する前の果実樹の写真であり、図８は本発明の一実施例を適用した果実樹の写真である。
【００１８】
図９は本発明の一実施例を適用する前の他の果実樹の写真であり、図１０は本発明の一実施例を適用した他の果実樹の写真である。
【００１９】
図１１は本発明の一実施例を適用したまた他の果実樹の写真である。
【００２０】
本発明の果実樹用枝誘引具１は、中央部１０、開放部２０、固定部３０から構成される。
【００２１】
上記果実樹用枝誘引具１は、全体が一般使用者が手で任意の角度で曲げることができるように軟質の金属材から形成される。この際、上記金属材は、プレス生産が可能なように板材で形成され、手で曲げることができるが枝をたわめて固定することができ、かつ風によって固定角度が変形されない強度になるように、その金属の種類や板材の厚さを決定することが好ましく、本発明の好ましい一実施例では、０．２〜１ｍｍの厚さで形成した。また、本発明の他の一実施例では、金属でない合成樹脂材で形成して射出生産を可能にした。
【００２２】
中央部１０は、上記枝を上側から覆って結合され、中央が高くかつ両端が低く形成された部分であり、枝が挿入され得るように中央挿入路１１が凸状に形成されている。
【００２３】
開放部２０は、上記中央部の両端からそれぞれ延長され、上記枝の挿入のために一部が開放された部分である。
【００２４】
固定部３０は、上記開放部２０から延長され、上記枝の下側を支えて枝の力を受けて固定する部分であり、枝が挿入される曲面の固定挿入路３１が凹状に形成されており、枝の角度を固定するのに最も力を多く受ける部分であり、両固定部３０を曲げる程度によって枝の角度が調整される。
【００２５】
一方、枝誘引具１の全部分、すなわち、上記中央部１０、開放部２０、固定部３０に、線状の突出路２を形成して、枝誘引具１の固定強度を高めることができるようにした。
【００２６】
一方、上記中央挿入路１１と固定挿入路３１の両端部分は、鋭くないように曲面処理して、枝の結合過程で傷ついたり、結合された状態で風によって枝が傷ついたりしないようにした。
【符号の説明】
【００２７】
１    果実樹用枝誘引具
２    突出路
１０    中央部
２０    開放部
３０    固定部
１１    中央挿入路
３１    固定挿入路
【図１】
0006346695.tif 000002
【図２】
0006346695.tif 000003
【図３】
0006346695.tif 000004
【図４】
0006346695.tif 000005
【図５】
0006346695.tif 000006
【図６】
0006346695.tif 000007
【図７】
0006346695.tif 000008
【図８】
0006346695.tif 000009
【図９】
0006346695.tif 000010
【図１０】
0006346695.tif 000011
【図１１】
0006346695.tif 000012